(57)【特許請求の範囲】
【請求項１】
流体を流す主通路に接続される分岐口を有する主ホースと、上記分岐口を介して接続される副通路を有する副ホースと、主ホースと副ホースとを接続する分岐接続部と、を備えた分岐接続管を製造する方法において、
上記分岐接続部を製造する工程は、
未加硫または半加硫のゴム材料から形成され、上記分岐口に接続される連結通路を有する筒体部および該筒体部と一体であり上記分岐口の開口周縁部から上記主通路側にわたって設けられた裾部から構成されたゴム充填部をセットするとともに、分岐通路を有する分岐本体部と該分岐本体部の一端部に形成されたフランジ部とを有する分岐管本体を準備し、上記分岐通路を上記連結通路に接続するように分岐管本体をセットする工程と、
上記分岐管本体の外周側にキャビティを形成するように上記分岐管本体および上記主ホースを金型にセットする工程と、
上記キャビティにゴム材料を注入し、その後、該注入したゴム材料および上記ゴム充填部のゴム材料を加硫することで上記ゴム充填部と一体になったゴム成形部を形成する工程と、
を備えたことを特徴とする分岐接続管の製造方法。
【請求項２】
流体を流す主通路に接続される分岐口を有する主ホースと、上記分岐口を介して接続される副通路を有する副ホースと、主ホースと副ホースとを接続する分岐接続部と、を備えた分岐接続管を製造する製造方法において、
上記分岐接続部を製造する工程は、
未加硫または半加硫のゴム材料から形成され、上記分岐口に接続される連結通路を有する筒体部および該筒体部と一体であり上記分岐口の開口周縁部から上記主通路側にわたって設けられた裾部から構成されたゴム充填部をセットする工程と、
上記副ホースの一端部にフランジ部を形成し、上記副通路を上記連結通路に接続するとともに、上記フランジ部の外周側にキャビティを形成するように主ホースおよび副ホースを金型にセットする工程と、
上記キャビティにゴム材料を注入し、その後、該注入したゴム材料および上記ゴム充填部のゴム材料を加硫することで上記ゴム充填部と一体になったゴム成形部を形成する工程と、
を備えたことを特徴とする分岐接続管の製造方法。
【請求項３】
流体を流す主通路に接続される分岐口を有する主ホースと、上記分岐口に接続される分岐接続部と、を備えた分岐接続管を製造する方法において、
上記分岐接続部を製造する工程は、
未加硫または半加硫のゴム材料から形成され、上記分岐口に接続される連結通路を有する筒体部および該筒体部と一体であり上記分岐口の開口周縁部から上記主通路側にわたって配置された裾部とから構成されたゴム充填部をセットする工程と、
外部に連通する分岐通路を有する分岐本体部と、該分岐本体部の一端部に形成されたフランジ部とを有する分岐管本体を準備し、上記分岐通路を上記連結通路に接続するとともに、上記分岐管本体の外周側にキャビティを形成するように、上記分岐管本体および上記主ホースを金型にセットする工程と、
上記キャビティにゴム材料を注入し、その後、該注入したゴム材料および上記ゴム充填部のゴム材料を加硫することで上記ゴム充填部と一体になったゴム成形部を形成する工程と、
を備えたことを特徴とする分岐接続管の製造方法。
【請求項４】
請求項１ないし請求項３のいずれかの製造方法において、
上記主ホースの分岐口の周辺部を該主ホースの外周側へ突出させることにより、上記分岐口の開口周縁部でありかつ主通路側にスペースを形成し、該スペースは、上記ゴム充填部の裾部が主ホースの主通路の流路面積を変更しないように形成されている分岐接続管の製造方法。
【発明の詳細な説明】
【０００１】
【発明の属する技術分野】
本発明は、複数のホースを分岐接続した分岐接続管の製造方法に関する。
【０００２】
【従来の技術】
従来、この種の分岐接続管として、例えば、特開平７−８３３６９号公報に記載されている技術が知られている。図１７は主ホース２２０から、分岐管本体２５０を用いて副ホース２３０を分岐した構成を示す断面図である。図１７において、副ホース２３０は、主ホース２２０に対して分岐管本体２５０及びゴム成形部２６０を介して接続されている。すなわち、主ホース２２０には分岐口２２５が形成され、この分岐口２２５に分岐管本体２５０の一端部が挿入されると共にゴム成形部２６０で覆われることにより、主ホース２２０と副ホース２３０とが接続されている。この構成では、分岐管本体２５０の下端部にフランジ部２５２が設けられており、このフランジ部２５２により分岐管本体２５０が主ホース２２０から抜けるのを防止している。
【０００３】
【発明が解決しようとする課題】
しかし、従来の分岐接続管では、分岐管本体２５０のフランジ部２５２が主ホース２２０の通路２２１ａ内に突出しているために、通路２２１ａを流れる流体の抵抗が大きくなるという問題があった。また、通路２２１ａに突出した分岐管本体２５０の根元の部分が流体に晒されるために、主ホース２２０と分岐管本体２５０との接合端部で剥離が生じやすい。このため、剥離した隙間から通路２２１ａを流れる流体が浸入して、主ホース２２０との分岐管本体２５０との接合状態が損なわれ易いという問題があった。
【０００４】
本発明は、上記従来の技術の問題を解決するものであり、主ホース内の流路抵抗が小さく、しかも主ホースと副ホースとの接合力の大きい分岐接続管の製造方法を提供することを目的とする。
【０００５】
【課題を解決するための手段およびその作用・効果】
上記課題を解決するためになされた第１の発明は、
流体を流す主通路に接続される分岐口を有する主ホースと、上記分岐口を介して接続される副通路を有する副ホースと、主ホースと副ホースとを接続する分岐接続部と、を備えた分岐接続管を製造する方法において、
上記分岐接続部を製造する工程は、
未加硫または半加硫のゴム材料から形成され、上記分岐口に接続される連結通路を有する筒体部および該筒体部と一体であり上記分岐口の開口周縁部から上記主通路側にわたって設けられた裾部から構成されたゴム充填部をセットするとともに、分岐通路を有する分岐本体部と該分岐本体部の一端部に形成されたフランジ部とを有する分岐管本体を準備し、上記分岐通路を上記連結通路に接続するように分岐管本体をセットする工程と、
上記分岐管本体の外周側にキャビティを形成するように上記分岐管本体および上記主ホースを金型にセットする工程と、
上記キャビティにゴム材料を注入し、その後、該注入したゴム材料および上記ゴム充填部のゴム材料を加硫することで上記ゴム充填部と一体になったゴム成形部を形成する工程と、
を備えたことを特徴とする。
【０００６】
第１の発明によって製造される分岐接続管は、主ホースから副ホースが分岐接続部を介して接続されている。分岐接続部は、分岐管本体と、ゴム充填部と、ゴム成形部とから構成されている。分岐管本体は、その一端部にフランジ部が設けられており、このフランジ部は主ホースの外周側に所定間隙を隔てて配置され、この所定間隔にゴム充填部及びゴム成形部が充填されている。これにより、フランジ部がゴム成形部に埋設されて抜止される。このようなフランジ部は、主ホースの主通路内に配置されていないので、主通路を流れる流体の抵抗を増大させない。
【０００７】
また、ゴム充填部は、分岐口の開口周縁部でありかつ主通路側で裾部となっており、副ホースの脱落を防止する作用が大きく、しかもゴム成形部とともに加硫により一体化すると、主ホースと副ホースとの間を接続する通路の隙間をなくし、流体の漏れを確実に防止することができる。
【０００８】
第２の発明は、
流体を流す主通路に接続される分岐口を有する主ホースと、上記分岐口を介して接続される副通路を有する副ホースと、主ホースと副ホースとを接続する分岐接続部と、を備えた分岐接続管を製造する製造方法において、
上記分岐接続部を製造する工程は、
未加硫または半加硫のゴム材料から形成され、上記分岐口に接続される連結通路を有する筒体部および該筒体部と一体であり上記分岐口の開口周縁部から上記主通路側にわたって設けられた裾部から構成されたゴム充填部をセットする工程と、
上記副ホースの一端部にフランジ部を形成し、上記副通路を上記連結通路に接続するとともに、上記フランジ部の外周側にキャビティを形成するように主ホースおよび副ホースを金型にセットする工程と、
上記キャビティにゴム材料を注入し、その後、該注入したゴム材料および上記ゴム充填部のゴム材料を加硫することで上記ゴム充填部と一体になったゴム成形部を形成する工程と、
を備えたことを特徴とする。
【０００９】
第２の発明にかかる製造方法は、第１の発明にかかる分岐管本体を用いないで、副ホースの一端部にフランジ部を形成したものであり、第１の発明より部品点数を減少させている。
【００１０】
第３の発明は、
流体を流す主通路に接続される分岐口を有する主ホースと、上記分岐口に接続される分岐接続部と、を備えた分岐接続管を製造する方法において、
上記分岐接続部を製造する工程は、
未加硫または半加硫のゴム材料から形成され、上記分岐口に接続される連結通路を有する筒体部および該筒体部と一体であり上記分岐口の開口周縁部から上記主通路側にわたって配置された裾部とから構成されたゴム充填部をセットする工程と、
外部に連通する分岐通路を有する分岐本体部と、該分岐本体部の一端部に形成されたフランジ部とを有する分岐管本体を準備し、上記分岐通路を上記連結通路に接続するとともに、上記分岐管本体の外周側にキャビティを形成するように、上記分岐管本体および上記主ホースを金型にセットする工程と、
上記キャビティにゴム材料を注入し、その後、該注入したゴム材料および上記ゴム充填部のゴム材料を加硫することで上記ゴム充填部と一体になったゴム成形部を形成する工程と、
を備えたことを特徴とする。
【００１１】
第３の発明による製造方法は、第１の発明にかかる副ホースを用いない場合にも好適に適用できる構成である。上記分岐管本体の分岐通路には、その一部を少なくとも閉じるように装着される閉止部材を設けてもよい。この閉止部材は、分岐管本体に副ホースを接続しない場合に密閉用の栓としたり、外部に連通するエアー抜き用の通路を有する栓としたり、水温センサを装着するための栓とすることにより、好適な態様として実現することができる。
【００１２】
ここで、分岐接続部の好適な態様として、主ホースの分岐口の開口周縁部を、主ホースの外周側へ突出させることによりスペースを形成し、該スペースに、上記ゴム充填部の裾部が主ホースの主通路の流路面積を変更しないように配置することが好ましい。この構成により、ゴム充填部の裾部が主ホースの主通路に突出しないので、主通路を流れる流体の抵抗を増大しない。
【００１４】
第１ないし第３の発明によれば、主ホース、分岐管本体、ゴム充填材などを金型にセットして、分岐管本体の周囲にゴム材料を注入し、加硫することによりゴム成形部を簡単に形成することができる。
【００１５】
【発明の実施の形態】
以上説明した本発明の構成・作用を一層明らかにするために、以下本発明の好適な実施例について説明する。
【００１６】
図１は本発明の一実施の形態にかかる図示しない自動車のエンジンとラジエータとを接続している主ホース２０の分岐部分を示す斜視図である。主ホース２０には、副ホース３０が分岐接続部４０を介して接続されている。主ホース２０は、一端でラジエータの下部に接続され、他端部でエンジンに接続されている。また、副ホース３０は、他端部でリザーバに接続されている。
【００１７】
図２は図１の２−２線に沿った断面図である。図２に示すように、主ホース２０は、ＥＰＤＭゴム材料からなる内管層２１と外管層２２とを備え、冷却媒体を流す主通路２１ａを設けている。上記内管層２１と外管層２２との間には、糸層２３が介在しており、主ホース２０を補強している。また、主ホース２０の端部の側壁には、分岐突出部２６が形成され、この分岐突出部２６の中央に形成された分岐口２５を介して副ホース３０が分岐接続部４０を介して接続されている。
【００１８】
副ホース３０は、主ホース２０より直径が１／３〜１／２と細いだけで主ホース２０とほぼ同じ構成であり、つまり、ＥＰＤＭゴム材料から形成され、内管層３１と、外管層３２と、糸層３３とを積層し、内管層３１内を副通路３１ａとしている。
【００１９】
図３は図２の分岐接続部４０の付近を拡大して示す断面図である。図３において、分岐接続部４０は、分岐管本体５０と、ゴム充填部５６と、ゴム成形部５８とを備えている。分岐管本体５０は、樹脂材料で形成されており、分岐通路５１ａを有する分岐本体部５１と、分岐本体部５１の下部に一体形成されたフランジ部５２とを備えており、分岐本体部５１の上端部に、副ホース３０の端部からの抜止作用を果たすための接続端部５３が形成されている。
【００２０】
また、ゴム充填部５６は、分岐管本体５０の下側に配置されており、円筒状の筒体部５６ａと、この筒体部５６ａの下部に一体に形成された裾部５６ｂとから形成され、その内部に分岐管本体５０の分岐通路５１ａと主ホース２０の主通路２１ａとを接続する連結通路５６ｃが形成されている。上記筒体部５６ａ及び裾部５６ｂもＥＰＤＭから形成されている。上記裾部５６ｂは、ほぼ円盤状であり、主ホース２０の分岐突出部２６の内周側のスペースＳｐを充填するように設けられている。
【００２１】
図２に戻り、主ホース２０と分岐管本体５０の下部は、ＥＰＤＭから形成されたゴム成形部５８により覆われている。このゴム成形部５８は、加硫接着によりゴム充填部５６と一体になっている。
【００２２】
次に、分岐接続管の製造方法について説明する。図４ないし図１０は分岐接続管の一連の製造工程を説明する説明図である。図４に示すように、まず、主ホース２０を形成するための未加硫のホース押出体２０Ａを製造するとともに、副ホース３０を形成するためのホース押出体３０Ａを製造する。ホース押出体２０Ａ，３０Ａは、通常の方法、つまり押出機によりゴム材料を押し出しつつ糸層２３，３３を形成するための補強糸を螺旋状に巻回することにより製造する。ここに、ホース押出体２０Ａ，３０Ａの形状として、例えば、ホース押出体２０Ａの内径Ｄ１を３０〜３７ｍｍ、厚さｔ１を４．５ｍｍとし、ホース押出体３０Ａの内径Ｄ２を５．８〜１６ｍｍとすることができる。
【００２３】
続いて、ホース押出体２０Ａを加硫すると同時に所定の形状に癖付けする工程を行なう。図５及び図６は加硫工程及び癖付け工程を説明する図である。癖付け及び加硫工程は、マンドレルＭＤ及び加硫装置（図示省略）を用いて行なう。マンドレルＭＤは、ホース押出体２０Ａの内径Ｄ１とほぼ同じ太さの棒体であり、所定の形状に曲げられている。また、マンドレルＭＤの外周には、主ホース２０の分岐突出部２６を形成するための山状部ＭＤｂが形成されている。本工程では、マンドレルＭＤにホース押出体２０Ａを押し入れ（図６の状態）、その後、加硫装置内に装填して、１５０℃、３０分の加硫条件で加硫し、主ホース２０を形成する。この主ホース２０をマンドレルＭＤから抜くと、主ホース２０は、マンドレルＭＤの山状部ＭＤｂに対応した個所に分岐突出部２６が形成された状態にて所定形状に曲げられている。その後、図７に示すように、主ホース２０の分岐突出部２６に、ドリルＤｒなどにより分岐口２５を形成する。
【００２４】
次に、主ホース２０に、分岐管本体５０（図３参照）を介して副ホース３０を接続する工程を行なう。ここで、分岐管本体５０は、予め射出成形により成形しておく。図８は金型の一部を構成する第１中芯６１に主ホース２０をセットした状態を説明する説明図である。図８において、第１中芯６１は、主ホース２０の内径Ｄ１とほぼ同じ外径を有した円柱部６１ａと、円柱部６１ａの端部の基部６１ｂとから構成されている。この第１中芯６１の先端部６１ｃから主ホース２０内に円柱部６１ａを挿入することにより、主ホース２０を第１中芯６１に装着するが、このとき、第１中芯６１の円柱部６１ａの外周と主ホース２０の分岐口２５の開口周縁部の間には、分岐突出部２６の突出した形状に倣った円盤状のスペースＳｐが形成されている。
【００２５】
続いて、上記スペースＳｐに未加硫のゴム環材５６Ａｂを装填する。すなわち、未加硫の棒状のゴム材料を環状に形成したゴム環材５６Ａｂを形成し、このゴム環材５６Ａｂを、分岐口２５を通して第１中芯６１の外周に置くと、ゴム環材５６ＡｂがスペースＳｐに充填される。なお、ゴム環材５６Ａｂの充填に先立って、スペースＳｐ部分のホース内周壁表面を研磨（粗面化及び表面の汚れ落とし）などの処理をすることが、加硫接着性を向上させる点から好ましい。
【００２６】
続いて、図９に示すように、第２中芯７１に分岐管本体５０を位置決めすると共にゴム筒材５６Ａａをセットする工程を行なう。すなわち、分岐管本体５０に第２中芯７１の円柱部７１ａを挿入すると共に、円柱部７１ａの先端部７１ｃ側から円柱部７１ａにゴム筒材５６Ａａを挿入する。その後、分岐管本体５０のフランジ部５２や分岐本体部５１等に接着剤を塗布する。この接着剤は、分岐管本体５０とゴム成形部５８との接着力を高める作用をする。
【００２７】
続いて、図１０に示すように、金型８０に、上記第１中芯６１に支持した主ホース２０や第２中芯７１に支持した分岐管本体５０などをセットする工程を行なう。すなわち、第１中芯６１を介して主ホース２０を金型８０にセットするとともに、第２中芯７１の先端部７１ｃを主ホース２０の分岐口２５に挿入した状態にて、第２中芯７１を金型８０にセットする。このとき、分岐管本体５０の接続端部５３を金型８０の凹所８０ａに嵌合して支持する。このセット工程により、金型８０内には、分岐口２５の外周部の付近にキャビティ８３が形成される。
【００２８】
次の工程では、金型８０の型締めを行なった後に、ゴム射出成形を行なう。すなわち、図示しない射出成型機からゴム材料をキャビティ８３内に注入する。その後、金型８０を加熱することによりキャビティ８３内のゴム材料を加硫するプレス加硫を行なう。加硫の条件としては、１６０℃で２０分を採ることができる。これにより、キャビティ８３のゴム材料及びゴム充填材５６Ａは加硫されて一体となり、ゴム成形部５８及びゴム充填部５６になる。そして、金型８０を型開きした後に、第１中芯６１及び第２中芯７１を外すことにより、分岐管本体５０がゴム充填部５６及びゴム成形部５８を介して一体になった主ホース２０が完成する。
【００２９】
上記実施の形態にかかる分岐接続管によれば、主ホース２０から副ホース３０への通路、つまり、ゴム充填部５６の連結通路５６ｃ、分岐管本体５０の分岐通路５１ａは、ゴム充填部５６、主ホース２０の分岐口２５の周縁部及びゴム成形部５８が加硫接着により一体になってその間の隙間をなくしているので、流体の漏れを確実に防止することができる。
【００３０】
また、分岐管本体５０のフランジ部５２は、ゴム成形部５８に埋設されて抜止作用を果たしているので、主ホース２０からの脱落を確実に防止することができる。
【００３１】
さらに、分岐管本体５０のフランジ部５２は、主ホース２０の外周側に配置されており、主ホース２０の主通路２１ａに突出していないので、主ホース２０の主通路２１ａを流れる流体の抵抗を増大させない。
【００３２】
しかも、主ホース２０の分岐口２５の付近は、分岐突出部２６になり、その主通路２１ａ側にゴム充填部５６の裾部５６ｂが配置されているので、裾部５６ｂが主通路２１ａへ突出する形状になっておらず、分岐口２５の周辺部における主通路２１ａの断面積を変えず、よってその部分における流量抵抗を増大させることもない。
【００３３】
また、図１１に示すように、ゴム充填部５６の裾部５６ｂは、主ホース２０の主通路２１ａと連続した面になっており、直角のエッジになっていないので、その部分での剥離を生じにくい。よって、剥離した隙間を通じて主ホース２０の糸層２３への流体が浸入することもない。
【００３４】
また、ゴム充填部５６の裾部５６ｂは、主ホース２０の主通路２１ａの内壁面に沿って広い面積で接合されているので、主ホース２０の主通路２１ａを通る流体が糸層２３へ浸入することもない。
【００３５】
さらに、図１０に示すゴム射出成形工程の際に、分岐管本体５０は、第２中芯７１に支持されると共に、ゴム筒材５６Ａａにより支持されているので、主ホース２０に対する高い位置決め精度を得ることができる。
【００３６】
なお、この発明は上記実施例に限られるものではなく、その要旨を逸脱しない範囲において種々の態様において実施することが可能であり、例えば次のような変形も可能である。
【００３７】
（１）  図１２は第２の実施の形態にかかる分岐接続管を示す断面図である。図１２において、本実施の形態では、分岐ホース１３０の端部１３０ａをゴム成形部１５８に埋設した構成に特徴を有している。すなわち、主ホース１２０の分岐口１２５の開口周縁部は、分岐突出部１２６が形成され、この分岐突出部１２６の上部にゴム成形部１５８が形成されている。このゴム成形部１５８には、分岐ホース１３０の端部１３０ａを埋設している。この分岐ホース１３０の端部１３０ａは、フレア形状になっておりゴム成形部１５８からの抜止作用を高めている。
【００３８】
（２）  図１３は分岐管本体１５０Ａ，１５０Ｂ，１５０Ｃのそれぞれのフランジ部を示す説明図である。すなわち、図１３（Ａ）のフランジ部１５２Ａは、円盤状に形成され、その４方に透孔１５２Ａａが形成されている。この透孔１５２Ａａは、ゴム成形部との一体性を高めるとともに分岐管本体１５０Ａの周り止めを果たす作用もある。また、図１３（Ｂ）のようにフランジ部１５２Ｂを歯車状に形成したり、図１３（Ｃ）のようにフランジ部１５３Ｃを正方形の板形状にすることにより周り止めの作用を高めても良い。
【００３９】
（３）  図１４は他の実施の形態にかかるゴム充填材１９０Ａを示す断面図である。本実施例では、第１の実施の形態の図１０にて説明したようにゴム筒材５６Ａａとゴム環材５６Ａｂとを別体に形成したゴム充填材５６Ａの代わりに、ゴム筒材１９０Ａａと裾部１９０Ａｂとを一体に形成したものであってもよい。この場合には、裾部１９０Ａｂは、図１に示す主ホース２０の分岐口２５への挿入に支障がない限り大きく張り出して形成することが好ましい。
【００４０】
（４）  図１０などに示すゴム充填材５６Ａを形成するゴム材料は、未加硫のもののほか、半加硫であってもよい。このような半加硫のゴム材料を用いることにより、裾部５６ｂの形状を安定した厚さや形状にすることができる。
【００４１】
（５）  図１５は他の実施の形態にかかる分岐接続部４０Ｄの付近を示す断面図である。本実施の形態では、分岐接続部４０Ｄに副ホースを接続しない場合に、分岐管本体５０Ｄの分岐通路５１Ｄａを栓６０Ｄにより閉じることができる構成に特徴を有している。図１５において、分岐管本体５０Ｄの分岐通路５１Ｄａの内壁面には、雌ネジ５１Ｄｂが形成されている。また、上記栓６０Ｄは、上記分岐通路５１Ｄａを閉じる部材であり、頭部６１Ｄａと、雄ネジ部６１Ｄｂと、封止部６１Ｄｃとから一体に形成されており、上記雄ネジ部６１Ｄｂが上記雌ネジ５１Ｄｂに螺着されるように形成されている。また、封止部６１Ｄｃの外径ｄ１は、ゴム充填部５６Ｄの筒体部５６Ｄａの連結通路５６Ｄｃの内径ｄ２より僅かに大きく形成されている。
【００４２】
上記構成において、栓６０Ｄの雄ネジ部６１Ｄｂを分岐管本体５０Ｄの雌ネジ５１Ｄｂにネジ込むと、栓６０Ｄの封止部６１Ｄｃなどにより分岐管本体５０Ｄの分岐通路５１Ｄａが封止される。このように、分岐管本体５０Ｄの分岐通路５１Ｄａの内面に、雌ネジ５１Ｄｂを形成することで、副ホースを接続しない場合において栓６０Ｄにより分岐通路５１Ｄａを封止することができる。
【００４３】
また、上記栓６０Ｄの封止部６１Ｄｃの外径ｄ１は、ゴム充填部５６Ｄの連結通路５６Ｄｃの内径ｄ２より大きく形成されているので、栓６０Ｄを分岐管本体５０Ｄに装着したときに、封止部６１Ｄｃがゴム充填部５６Ｄを押圧するので、Ｏリングなどのシール部材を用いることなく、高いシール性を得ることができる。
【００４４】
なお、図１５の栓６０Ｄは、分岐本体部５１Ｄの分岐通路５１Ｄａを完全に閉じる封止部材として構成したが、これに限らず、エアーまたは水抜きのための連通孔を形成して主通路２１ａを外部に連通させるための部材として構成してもよい。
【００４５】
（６）  図１６はさらに他の実施の形態にかかる分岐接続部４０Ｅの付近を示す断面図である。本実施の形態では、分岐接続部４０Ｅに、栓６０Ｅを介して水温センサ７０を装着することができる構成に特徴を有している。図１６において、分岐管本体５０Ｅの端部５３Ｅには、係合突起５３Ｅａが形成されている。また、上記栓６０Ｅは、頭部６１Ｅａと、大径部６１Ｅｂと、小径部６１Ｅｃとから一体に形成されている。上記栓６０Ｅの頭部６１Ｅａには、上記係合突起５３Ｅａに係合する係合爪６１Ｅｄが形成されている。さらに、栓６０Ｅには、水温センサ７０が装着されている。すなわち、水温センサ７０は、その先端の検出部７０ａが小径部６１Ｅｃの下端から突出し、さらに、リード線７０ｂが小径部６１Ｅｃ、大径部６１Ｅｂから頭部６１Ｅａを貫通して引き出されている。また、分岐管本体５０Ｅの下部に配置されたゴム充填部５６Ｅには、その連結通路５６Ｅｃの内壁面にシール部５６Ｅｄが形成されている。このシール部５６Ｅｄは、多数の環状のヒダから形成され、上記栓６０Ｅの小径部６１Ｅｃに対して密着してシールするように構成されている。
【００４６】
こうした構成により、分岐管本体５０Ｅの分岐通路５１Ｅａに、栓６０Ｅの小径部６１Ｅｃから挿入すると、小径部６１Ｅｃがシール部５６Ｅｄでシールされるとともに、栓６０Ｅの係合爪６１Ｅｄが分岐管本体５０Ｅの係合突起５３Ｅａに係合する。このように、栓６０Ｅは、分岐管本体５０Ｅの分岐通路５１Ｅａを外部に対してシールした状態にて閉じるとともに、分岐管本体５０Ｅにワンタッチで抜止された状態にて取り付けることができる。また、栓６０Ｅは、分岐口２５を単に閉じる封止部材として用いるほか、水温センサ７０などを装着するための部材として利用している。
【図面の簡単な説明】
【図１】本発明の一実施の形態にかかる主ホース２０の分岐部分を示す斜視図である。
【図２】図１の２−２線に沿った断面図である。
【図３】図２の分岐接続部４０の付近を拡大して示す断面図である。
【図４】主ホース２０を製造する工程を説明する説明図である。
【図５】ホース押出体２０ＡをマンドレルＭＤにセットする工程を説明する説明図である。
【図６】ホース押出体２０Ａを加硫する工程を説明する説明図である。
【図７】主ホース２０の分岐突出部２６にドリルＤｒなどにより分岐口２５を形成する工程を説明する説明図である。
【図８】第１中芯６１に主ホース２０をセットした状態を説明する説明図である。
【図９】第２中芯７１に分岐管本体５０を位置決めすると共にゴム筒材５６Ａａをセットする工程を説明する説明図である。
【図１０】主ホース２０などを金型８０にセットした状態を示す断面図である。
【図１１】分岐接続管の要部を示す断面図である。
【図１２】第２の実施の形態にかかる分岐接続管を示す断面図である。
【図１３】分岐管本体のフランジ部１５２Ａなどの変形例を説明する説明図である。
【図１４】他の実施の形態にかかるゴム充填材１９０Ａを示す断面図である。
【図１５】さらに他の実施の形態にかかる分岐接続部４０Ｄの周辺部を示す断面図である。
【図１６】別の実施の形態にかかる分岐接続部４０Ｅの周辺部を示す断面図である。
【図１７】従来の技術にかかる分岐接続管を示す断面図である。
【符号の説明】
２０…主ホース
２０Ａ…ホース押出体
２１…内管層
２１ａ…主通路
２２…外管層
２３…糸層
２５…分岐口
２６…分岐突出部
３０…副ホース
３０Ａ…ホース押出体
３１…内管層
３１ａ…副通路
３２…外管層
３３…糸層
４０…分岐接続部
４０Ｂ…分岐接続部
４０Ｃ…分岐接続部
４０Ｄ…分岐接続部
４０Ｅ…分岐接続部
５０…分岐管本体
５０Ｄ…分岐管本体
５０Ｅ…分岐管本体
５１ａ…分岐通路
５１…分岐本体部
５１Ｄ…分岐本体部
５１Ｄａ…分岐通路
５１Ｄｂ…雌ネジ
５１Ｅａ…分岐通路
５２…フランジ部
５３…接続端部
５３Ｅ…端部
５３Ｅａ…係合突起
５６…ゴム充填部
５６ａ…筒体部
５６ｂ…裾部
５６ｃ…連結通路
５６Ａ…ゴム充填材
５６Ａａ…ゴム筒材
５６Ａｂ…ゴム環材
５６Ｄ…ゴム充填部
５６Ｄａ…筒体部
５６Ｄｃ…連結通路
５６Ｅ…ゴム充填部
５６Ｅｃ…連結通路
５６Ｅｄ…シール部
５８…ゴム成形部
６０Ｄ…栓
６０Ｅ…栓
６１…第１中芯
６１ａ…円柱部
６１ｂ…基部
６１ｃ…先端部
６１Ｄａ…頭部
６１Ｄｂ…雄ネジ部
６１Ｄｃ…封止部
６１Ｅａ…頭部
６１Ｅｂ…大径部
６１Ｅｃ…小径部
６１Ｅｄ…係合爪
７０…水温センサ
７０ａ…検出部
７０ｂ…リード線
７１…第２中芯
７１ａ…円柱部
７１ｃ…先端部
８０…金型
８０ａ…凹所
８３…キャビティ
９０Ａ…ゴム充填材
１２０…主ホース
１２５…分岐口
１２６…分岐突出部
１３０…分岐ホース
１３０ａ…端部
１５０Ａ，１５０Ｂ，１５０Ｃ…分岐管本体
１５０…分岐管本体
１５２Ａ…フランジ部
１５２Ａａ…透孔
１５２Ｂ…フランジ部
１５３Ｃ…フランジ部
１５８…ゴム成形部
１９０Ａ…ゴム充填材
１９０Ａａ…ゴム筒材
１９０Ａｂ…裾部
Ｓｐ…スペース
ＭＤ…マンドレル
ＭＤｂ…山状部
Ｄｒ…ドリル
【図１】
0003743166.tif 000002
【図２】
0003743166.tif 000003
【図３】
0003743166.tif 000004
【図４】
0003743166.tif 000005
【図５】
0003743166.tif 000006
【図６】
0003743166.tif 000007
【図７】
0003743166.tif 000008
【図８】
0003743166.tif 000009
【図９】
0003743166.tif 000010
【図１０】
0003743166.tif 000011
【図１１】
0003743166.tif 000012
【図１２】
0003743166.tif 000013
【図１３】
0003743166.tif 000014
【図１４】
0003743166.tif 000015
【図１７】
0003743166.tif 000016
【図１５】
0003743166.tif 000017
【図１６】
0003743166.tif 000018